(57)【要約】  【課題】  撮影者が撮影を意図したときに確実にレリーズをさせるとともに、撮影時の手ぶれを軽減することのできるカメラを提供する。  【解決手段】  レリーズ信号が与えられたときに被写体像の画像データを生成するレリーズ回路１７と、前面マイク３からの音声を前面音声信号に変換するＡ／Ｄコンバータ１２と、背面マイク６からの音声を背面音声信号に変換するＡ／Ｄコンバータ１３と、キーワード音声を変換したキーワード音声信号が予め登録されるキーワード登録メモリ１５と、撮影モードが通常モード時には背面音声信号がキーワード音声信号と同一であると認識したときに、また、セルフタイマーモード時には前面音声信号がキーワード音声信号と同一であると認識したときから所定時間後に、レリーズ回路１７からの画像データを画像メモリ１６に記録するＣＰＵ１０を備える。【選択図】      図２
2005333582.tif 000002
【特許請求の範囲】
【請求項１】
撮影レンズを通して結像される被写体像を記録するカメラにおいて、
前記被写体像が結像され光信号を電気信号に変換するＣＣＤと、
レリーズ信号が与えられたときに前記ＣＣＤからの電気信号から前記被写体像の画像デ
ータを生成するレリーズ回路と、
カメラ本体の前面に設けられた第１のマイクと、
第１のマイクから入力された音声をデジタル変換して第１の音声信号にする第１のＡ／
Ｄコンバータと、
カメラ本体の背面に設けられた第２のマイクと、
第２のマイクから入力された音声をデジタル変換して第２の音声信号にする第２のＡ／
Ｄコンバータと、
第１のマイクまたは第２のマイクから入力されたキーワード音声を第１のＡ／Ｄコンバ
ータまたは第２のＡ／Ｄコンバータでデジタル変換したキーワード音声信号が予め登録さ
れるキーワード登録メモリと、
撮影モードを、レリーズ要求直後にレリーズを行う通常モードとレリーズ要求があった
ときから所定時間後にレリーズを行うセルフタイマーモードに切り換える撮影モード切換
キーと、
前記通常モード時には第２の音声信号が前記キーワード音声信号と同一であると認識し
たときに、また、前記セルフタイマーモード時には第１の音声信号が前記キーワード音声
信号と同一であると認識したときから前記所定時間後に、前記レリーズ回路にレリーズ信
号を与え、前記レリーズ回路からの画像データを画像メモリに記録するＣＰＵと、
を具備したことを特徴とするカメラ。
【請求項２】
撮影レンズを通して結像される被写体像を記録するカメラにおいて、
レリーズ信号が与えられたときに前記被写体像を記録手段に与えて記録させるレリーズ
手段と、
前記撮影レンズを被写体に向けたときに撮影者と対向する面に設けられたマイクと、
前記マイクから入力された音声をデジタル変換して音声信号にするＡ／Ｄコンバータと
、
前記マイクから入力されたキーワード音声を前記Ａ／Ｄコンバータでデジタル変換した
キーワード音声信号が予め登録されるキーワード登録手段と、
前記Ａ／Ｄコンバータからの音声信号が前記キーワード音声信号と同一であると認識し
たときに前記レリーズ手段にレリーズ信号を与える制御手段と、
を具備したことを特徴とするカメラ。
【請求項３】
撮影レンズを通して結像される被写体像を記録するカメラにおいて、
レリーズ信号が与えられたときに前記被写体像を記録手段に与えて記録させるレリーズ
手段と、
カメラ本体の前面に設けられた第１のマイクと、
第１のマイクから入力された音声をデジタル変換して第１の音声信号にする第１のＡ／
Ｄコンバータと、
カメラ本体の背面に設けられた第２のマイクと、
第２のマイクから入力された音声をデジタル変換して第２の音声信号にする第２のＡ／
Ｄコンバータと、
第１のマイクまたは第２のマイクから入力されたキーワード音声を第１のＡ／Ｄコンバ
ータまたは第２のＡ／Ｄコンバータでデジタル変換したキーワード音声信号が予め登録さ
れるキーワード登録手段と、
撮影モードを、レリーズ要求直後にレリーズを行う通常モードとレリーズ要求があった
ときから所定時間後にレリーズを行うセルフタイマーモードに切り換える撮影モード切換
手段と、
前記通常モード時には、第２の音声信号が前記キーワード音声信号と同一であると認識
したときに、また、前記セルフタイマーモード時には、第１の音声信号が前記キーワード
音声信号と同一であると認識したときから前記所定時間後に、前記レリーズ手段にレリー
ズ信号を与える制御手段と、
を具備したことを特徴とするカメラ。
【請求項４】
前記被写体像が結像され光信号を電気信号に変換する光電変換手段を備え、前記レリー
ズ手段は、レリーズ信号が与えられたときに前記光電変換手段からの電気信号から前記被
写体像の画像データを生成して前記制御手段に与え、前記制御手段は、与えられた画像デ
ータを前記記録手段としての画像メモリに記録することを特徴とする請求項２または請求
項３に記載のカメラ。
【請求項５】
前記光電変換手段がＣＣＤであり、前記レリーズ手段が前記ＣＣＤからの電気信号を画
像データに変換するレリーズ回路であり、前記キーワード登録手段がキーワード登録メモ
リであり、前記撮影モード切換手段が撮影モード切換キーであり、前記制御手段がＣＰＵ
であることを特徴とする請求項４に記載のカメラ。
【発明の詳細な説明】
【技術分野】
【０００１】
本発明は、シャッタを駆動して被写体像や電磁波・粒子線のパターンをフィルムに写し
取る、又は、同像や同パターンをＣＣＤ（Charge Coupled Device：電荷結合素子）等に
よって電気信号に変換してメモリに記録するカメラに関し、特に、撮影時の手ぶれを軽減
することのできるカメラに関する。
【背景技術】
【０００２】
被写体像や電磁波・粒子線のパターンをフィルムに写し取る、いわゆる銀塩カメラはポ
ートレート撮影やＸ線撮影などに広く用いられてきたが、近年、ＣＣＤやメモリを搭載し
てこれらの像やパターンを電子的に記録する、いわゆるデジタルカメラ（電子スチルカメ
ラ、ともいう）も、画像加工や配布の容易さ等の特徴からよく用いられるようになってき
た。
【０００３】
銀塩カメラにおいて、レリーズボタンは、機械的にシャッタを駆動するものであり、レ
リーズボタンを押動することによりシャッタが駆動されてフイルムに画像等が記録される
。一方、デジタルカメラにおいて、レリーズボタンは、電気的なシャッタを駆動してＣＣ
Ｄに撮像された被写体像等をデジタルカメラに設けられたメモリに格納するための動作を
行わせるものであり、レリーズボタンを押動することにより被写体像等が画像データとし
てメモリに格納される。以下、このように機械的または電気的なシャッタを駆動させて被
写体像等を記録する動作のことを単にレリーズという。
【０００４】
従来の銀塩カメラやデジタルカメラは、いずれも被写体にレンズを向けてレリーズボタ
ンを押すという操作を行うものであり、このレリーズボタンは機械的なスイッチで構成さ
れているため、例えば、図５に示すように、レリーズボタン５０の押し下げ時に、カメラ
５１全体が右に回転してしまい、いわゆる手ぶれを起こすことがある。手ぶれが発生する
と、いわゆるピントぼけになり、写真の画質が損なわれてしまうという問題点があった。
特に、フィルムサイズの大きい銀塩カメラや画素数の多いデジタルカメラにおいては、極
めてわずかな手ぶれであっても画質に与える影響は大きくなる。
【０００５】
また、近年では、カメラの重量が軽くなる方向にあるため、最近のカメラは携帯性の向
上の見返りとして安定性が欠如する方向にあり、手ぶれが起き易くなっているのも事実で
ある。その上、小型で高倍率なズームレンズを用いる場合、どうしても解放Ｆ値の大きい
、暗いレンズを使用せざる得ず、更に手ぶれの影響が大きくなる。
【０００６】
この手ぶれを防ぐため、レリーズボタンを軽くしたり、レリーズボタンとしてタッチセ
ンサを使用したりするということが考えられる。
【０００７】
また、カメラマンが撮影意図に応じてズーム機能や防振機能をＯＮ／ＯＦＦ操作したり
防振制御のモードを切り換えたりする際に、ＴＶカメラに余計な振動を与えないように、
音声によってズーム機能や防振機能をＯＮ／ＯＦＦ操作したり防振制御のモードを切り換
えたりすることのできるＴＶカメラ用作動命令指示システムがある（例えば、特許文献１
参照）。
【０００８】
また、シャッターボタンを異なった２方向に独立に操作できるようにして、１つのシャ
ッターボタンでフォーカスロックと露光を行うことができるとともに、フォーカスロック
された後、所定レベル以上の命令音声を認識したときに、露光を行う自動焦点カメラがあ
る（例えば、特許文献２参照）。
【０００９】
また、カメラとこのカメラに取り付けた子供の注意を引き付けるためのカメラアクセサ
リとで成るカメラシステムであって、前記カメラアクセサリを動作させるスタート信号を
電気信号、音波、電波、光等の形式で前記カメラに与える遠隔制御器を備えるカメラシス
テムがある（例えば、特許文献３参照）。
【特許文献１】特開２００３−１１０９２２号公報
【特許文献２】特開平１１−１９４３９２号公報
【特許文献３】特開平９−２４４１３６号公報
【発明の開示】
【発明が解決しようとする課題】
【００１０】
しかしながら、レリーズボタンを軽くしたり、レリーズボタンとしてタッチセンサを使
用したりすると、レリーズボタンが容易に押動されてしまうので、撮影者が撮影を意図し
ていないときに、レリーズされてしまうという問題があった。
【００１１】
また、特許文献１に記載の従来技術は、ＴＶカメラにおけるズーム機能のテレ／ワイド
の操作や防振機能のＯＮ／ＯＦＦ等を、押しボタン等の機械スイッチを操作して行う代わ
りに、ヘッドセット等に備えたマイクに音声を入力することにより行えるようにしたもの
であり、銀塩カメラやデジタルカメラのシャッタを作動させるものではない。
【００１２】
また、特許文献２に記載の従来技術は、露光を行う際のシャッターボタンの操作を、シ
ャッターボタンを半押しにしてフォーカスロックする機構のカメラで露光を行う際のシャ
ッターボタンの操作よりも軽くすることはできるが、シャッター操作を２方向に行うとい
うことは、十分に使い慣れないと手順が分かりにくく、他人に撮ってもらう時などには、
操作方法が分からず混乱してしまうという問題があった。また、カメラ正面に設けた集音
マイクロフォンに、ある一定以上の音量の音声が入力されると露光を行うようにして手ぶ
れを軽減するようにしているが、カメラ正面、即ち、被写体方向に騒音源があるときには
、露光を指示する撮影者の声が騒音にかき消されて判別できず動作しない、または、騒音
によっては誤動作を起こすという問題もあった。
【００１３】
また、特許文献３に記載の従来技術は、カメラアクセサリを遠隔制御器または音声で作
動させ、カメラアクセサリに子供の注意を向けさせることにより、撮影に集中して手ぶれ
を無くすようにしたものであり、カメラのシャッターを遠隔制御器または音声で作動させ
るものではない。なお、特許文献３には、カメラのセルフタイマーを遠隔制御することが
記載されているが、その際には、遠隔制御する遠隔制御器が必要となる。
【００１４】
本発明は、上記のような問題点を解決するためになされたもので、撮影者が撮影を意図
したときに確実にレリーズさせるとともに、撮影時の手ぶれを軽減することのできるカメ
ラを提供することを目的とする。
【課題を解決するための手段】
【００１５】
上記目的を達成するために、請求項１の発明は、撮影レンズを通して結像される被写体
像を記録するカメラにおいて、前記被写体像が結像され光信号を電気信号に変換するＣＣ
Ｄと、レリーズ信号が与えられたときに前記ＣＣＤからの電気信号から前記被写体像の画
像データを生成するレリーズ回路と、カメラ本体の前面に設けられた第１のマイクと、第
１のマイクから入力された音声をデジタル変換して第１の音声信号にする第１のＡ／Ｄコ
ンバータと、カメラ本体の背面に設けられた第２のマイクと、第２のマイクから入力され
た音声をデジタル変換して第２の音声信号にする第２のＡ／Ｄコンバータと、第１のマイ
クまたは第２のマイクから入力されたキーワード音声を第１のＡ／Ｄコンバータまたは第
２のＡ／Ｄコンバータでデジタル変換したキーワード音声信号が予め登録されるキーワー
ド登録メモリと、撮影モードを、レリーズ要求直後にレリーズを行う通常モードとレリー
ズ要求があったときから所定時間後にレリーズを行うセルフタイマーモードに切り換える
撮影モード切換キーと、前記通常モード時には第２の音声信号が前記キーワード音声信号
と同一であると認識したときに、また、前記セルフタイマーモード時には第１の音声信号
が前記キーワード音声信号と同一であると認識したときから前記所定時間後に、前記レリ
ーズ回路にレリーズ信号を与え、前記レリーズ回路からの画像データを画像メモリに記録
するＣＰＵとを具備したものである。
【００１６】
この構成によれば、撮影モード切換キーにより切り換えられた撮影モードが通常モード
の場合、ＣＰＵは、第２のＡ／Ｄコンバータからの第２の音声信号とキーワード登録メモ
リに登録されているキーワード音声信号とを比較し、同一であると認識したときにレリー
ズ回路にレリーズ信号を与える。一方、撮影モードがセルフタイマーモードの場合、ＣＰ
Ｕは、第１のＡ／Ｄコンバータからの第１の音声信号とキーワード登録メモリに登録され
ているキーワード音声信号とを比較し、同一であると認識したときから所定時間後にレリ
ーズ回路にレリーズ信号を与える。そして、レリーズ信号が与えられたレリーズ回路は、
ＣＣＤからの電気信号からそのときＣＣＤに結像されている被写体像の画像データを生成
してＣＰＵに与え、ＣＰＵはその画像データを画像メモリに記録する。
【００１７】
請求項２の発明は、撮影レンズを通して結像される被写体像を記録するカメラにおいて
、レリーズ信号が与えられたときに前記被写体像を記録手段に与えて記録させるレリーズ
手段と、前記撮影レンズを被写体に向けたときに撮影者と対向する面に設けられたマイク
と、前記マイクから入力された音声をデジタル変換して音声信号にするＡ／Ｄコンバータ
と、前記マイクから入力されたキーワード音声を前記Ａ／Ｄコンバータでデジタル変換し
たキーワード音声信号が予め登録されるキーワード登録手段と、前記Ａ／Ｄコンバータか
らの音声信号が前記キーワード音声信号と同一であると認識したときに前記レリーズ手段
にレリーズ信号を与える制御手段とを具備したものである。
【００１８】
この構成によれば、制御手段は、Ａ／Ｄコンバータからの音声信号とキーワード登録メ
モリに登録されているキーワード音声信号とを比較し、同一であると認識したときにレリ
ーズ回路にレリーズ信号を与える。そして、レリーズ信号が与えられたレリーズ回路は、
そのとき撮影レンズを通して結像されている被写体像を記録手段に与えて記録させる。
【００１９】
請求項３の発明は、撮影レンズを通して結像される被写体像を記録するカメラにおいて
、レリーズ信号が与えられたときに前記被写体像を記録手段に与えて記録させるレリーズ
手段と、カメラ本体の前面に設けられた第１のマイクと、第１のマイクから入力された音
声をデジタル変換して第１の音声信号にする第１のＡ／Ｄコンバータと、カメラ本体の背
面に設けられた第２のマイクと、第２のマイクから入力された音声をデジタル変換して第
２の音声信号にする第２のＡ／Ｄコンバータと、第１のマイクまたは第２のマイクから入
力されたキーワード音声を第１のＡ／Ｄコンバータまたは第２のＡ／Ｄコンバータでデジ
タル変換したキーワード音声信号が予め登録されるキーワード登録手段と、撮影モードを
、レリーズ要求直後にレリーズを行う通常モードとレリーズ要求があったときから所定時
間後にレリーズを行うセルフタイマーモードに切り換える撮影モード切換手段と、前記通
常モード時には、第２の音声信号が前記キーワード音声信号と同一であると認識したとき
に、また、前記セルフタイマーモード時には、第１の音声信号が前記キーワード音声信号
と同一であると認識したときから前記所定時間後に、前記レリーズ手段にレリーズ信号を
与える制御手段とを具備したものである。
【００２０】
この構成によれば、撮影モードが通常モードの場合、制御手段は、第２のＡ／Ｄコンバ
ータからの第２の音声信号とキーワード登録手段に登録されているキーワード音声信号と
を比較し、同一であると認識したときにレリーズ手段にレリーズ信号を与える。一方、撮
影モードがセルフタイマーモードの場合、制御手段は、第１のＡ／Ｄコンバータからの第
１の音声信号とキーワード登録手段に登録されているキーワード音声信号とを比較し、同
一であると認識したときから所定時間後にレリーズ手段にレリーズ信号を与える。そして
、レリーズ信号が与えられたレリーズ手段は、そのとき撮影レンズを通して結像されてい
る被写体像を記録手段に与えて記録させる。
【００２１】
請求項４の発明では、請求項２または請求項３の発明において、前記被写体像が結像さ
れ光信号を電気信号に変換する光電変換手段を備え、前記レリーズ手段は、レリーズ信号
が与えられたときに前記光電変換手段からの電気信号から前記被写体像の画像データを生
成して前記制御手段に与え、前記制御手段は、与えられた画像データを前記記録手段とし
ての画像メモリに記録するようにしている。
【００２２】
この構成によれば、レリーズ信号が与えられたレリーズ手段は、光電変換手段からの電
気信号からそのとき光電変換手段に結像されている被写体像の画像データを生成して制御
手段に与え、制御手段はその画像データを画像メモリに記録する。
【００２３】
請求項５の発明では、請求項４の発明において、前記光電変換手段がＣＣＤであり、前
記レリーズ手段が前記ＣＣＤからの電気信号を画像データに変換するレリーズ回路であり
、前記キーワード登録手段がキーワード登録メモリであり、前記撮影モード切換手段が撮
影モード切換キーであり、前記制御手段がＣＰＵであることを特徴とする。
【００２４】
この構成によれば、撮影モード切換キーにより切り換えられた撮影モードが通常モード
の場合、ＣＰＵは、第２のＡ／Ｄコンバータからの第２の音声信号とキーワード登録メモ
リに登録されているキーワード音声信号とを比較し、同一であると認識したときにレリー
ズ回路にレリーズ信号を与える。一方、撮影モードがセルフタイマーモードの場合、ＣＰ
Ｕは、第１のＡ／Ｄコンバータからの第１の音声信号とキーワード登録メモリに登録され
ているキーワード音声信号とを比較し、同一であると認識したときから所定時間後にレリ
ーズ回路にレリーズ信号を与える。そして、レリーズ信号が与えられたレリーズ回路は、
ＣＣＤからの電気信号からそのときＣＣＤに結像されている被写体像の画像データを生成
してＣＰＵに与え、ＣＰＵはその画像データを画像メモリに記録する。
【発明の効果】
【００２５】
以上のように本発明によれば、キーワード音声により被写体像を記録することができる
ので、撮影者は、撮影モードが通常モードの場合、被写体に向けてカメラを構えている時
に、レリーズボタンを押す代わりに、キーワード音声を発声することにより、被写体像を
記録することができる。即ち、レリーズボタンを押下することなく、カメラにレリーズを
行わせることができるので、撮影時の手ぶれの発生を軽減することができる。
【００２６】
また、この通常モードの場合、撮影者の発するキーワード音声が入力されるマイクは、
撮影者に対向しているカメラ本体の背面に設けられているマイクであるので、被写体側に
騒音源がある場合であっても、背面のマイクにはその騒音源からの騒音は入力されにくく
なり、撮影者の発する音声は入力されやすくなる。従って、撮影者の発する音声がその騒
音源からの騒音にかき消されるというようなことがなくなり、撮影者の発するキーワード
音声を確実に判別することができるので、キーワードが発せられたときにレリーズを確実
に行わせることができる。また、その騒音によって、誤ってレリーズが行われるという誤
動作が発生することもなくなる。
【００２７】
また、撮影モードがセルフタイマーモードである場合、被写体となる撮影者は、レリー
ズボタンを押す代わりに、撮影者に対向しているカメラ本体の前面に向かって、キーワー
ド音声を発声することにより、発声したときから所定時間後にレリーズを行わせることが
できる。即ち、レリーズボタンを押下することなく、且つ、遠隔制御器等を用いることな
く、カメラにセルフタイマーのカウントダウンを遠隔位置から開始させることができるの
で、カメラのコストを上昇させることなく利便性を向上させることができる。
【００２８】
また、セルフタイマーモードである場合、撮影者の発するキーワード音声が入力される
マイクは、被写体に対向しているカメラ本体の前面に設けられているマイクであるので、
被写体側に位置する撮影者の発する音声は入力されやすくなる。従って、撮影者の発する
キーワードを判別することが容易となり、キーワードが発せられたときにセルフタイマー
のカウントダウンを開始させることが容易にできる。
【００２９】
また、被写体像が結像され光信号を電気信号に変換する光電変換手段を備え、レリーズ
手段は、レリーズ信号が与えられたときに前記光電変換手段からの電気信号から前記被写
体像の画像データを生成して制御手段に与え、前記制御手段は、与えられた画像データを
記録手段としての画像メモリに記録するので、前記被写体像をデジタル化した画像データ
として記録することができる。
【００３０】
また、前記光電変換手段をＣＣＤとし、前記レリーズ手段を前記ＣＣＤからの電気信号
を画像データに変換するレリーズ回路とし、前記キーワード登録手段をキーワード登録メ
モリとし、前記撮影モード切換手段を撮影モード切換キーとし、前記記録手段を画像メモ
リとし、前記制御手段をＣＰＵとしたので、音声でレリーズさせることにより手ぶれを軽
減し、被写体像をデジタル化した画像データとして記録するデジタル式のカメラが実現で
きる。
【発明を実施するための最良の形態】
【００３１】
以下、添付図面を参照しつつ、本発明の実施の形態について説明する。図１は本発明の
一実施形態に係るデジタルカメラの外観を示す斜視図であり、（ａ）はカメラの前面から
見た場合の斜視図、（ｂ）はカメラの背面から見た場合の斜視図である。
【００３２】
図１に示すデジタルカメラ１は、図１（ａ）に示すように、その前面に、撮影レンズ２
ａを支持するレンズ鏡筒２、集音用の前面マイク３、及びファインダ用の採光窓４を備え
ている。また、図１に示すデジタルカメラ１は、図１（ｂ）に示すように、その背面に、
動作状態や設定等を文字やアイコン等で示したり画像を表示したりする液晶表示器５、集
音用の背面マイク６、ファインダ７、及び、撮影モードの変更や撮影条件の設定等に用い
られる操作キー８を備えている。この操作キー８は、上下左右の矢印キーと中央部に位置
する設定／決定キーから構成されている。更に、図１に示すデジタルカメラ１は、その上
面端部に、レリーズボタン９を備えている。
【００３３】
図２は、図１に示すデジタルカメラの構成を示すブロック図である。説明の便宜上、図
１と同一の部分には同一の符号を付している。図２において、１０はＣＰＵであり、ＣＰ
Ｕ１０は、デジタルカメラ１の電源がオンされると、ＣＰＵ１０の制御プログラムである
ファームウェアが書き込まれているフラッシュメモリ等のファームウェアＲＯＭ１４から
このファームウェアを読み出し、読み出したファームウェアに基づいてデジタルカメラ１
全体の制御を行う。
【００３４】
また、ＣＰＵ１０には、レリーズボタン９及び操作キー８のキー操作信号や、前面マイ
ク３から入力された音声等がＡ／Ｄコンバータ１２でデジタル変換された前面音声信号、
及び、背面マイク６から入力された音声等がＡ／Ｄコンバータ１３でデジタル変換された
背面音声信号が入力される。
【００３５】
また、デジタルカメラ１は、図１に示す鏡筒２内部にある撮影レンズ２ａを含む撮像光
学系を通って入射される被写体からの反射光を電気信号に変換するＣＣＤ１１と、レリー
ズ信号が与えられたときにＣＣＤ１１からの電気信号からＣＣＤ１１に結像されている被
写体像の画像データを生成し、生成した画像データをＣＰＵ１０に与えるレリーズ回路１
７を備えている。即ち、このレリーズ回路１７は、電気的なシャッタ機能を有している。
【００３６】
レリーズが行われるとき、ＣＰＵ１０は、前記レリーズ信号をレリーズ回路１７に与え
、レリーズ回路１７から送られてきた画像データを画像メモリ１６に保存する。また、Ｃ
ＰＵ１０は、操作キー８等の操作に応じて、画像メモリ１６に保存されている画像データ
を読み出して液晶表示器５に表示する。
【００３７】
尚、画像メモリ１６に保存される画像データには、ＣＰＵ１０により圧縮等の所定の信
号処理が施される。また、画像メモリ１６は、コンパクトフラッシュ（登録商標）やＳＤ
カードというような着脱自在な外部メモリとしても構わない。その場合には、その外部メ
モリが装着され、その外部メモリに読み出し／書き込みを行うメモリリーダ／ライタが必
要となる。
【００３８】
また、デジタルカメラ１は、ＥＥＰＲＯＭまたはフラッシュメモリから成る不揮発性の
キーワード登録メモリ１５を有し、ＣＰＵ１０は、音声によるレリーズに用いられるキー
ワード音声がデジタル変換されたキーワード音声信号をキーワード登録メモリ１５に登録
（保存）する。
【００３９】
次に、このような構成のデジタルカメラ１の撮影時の動作を図３及び図４を参照して説
明する。図３及び図４は、デジタルカメラ１の動作を説明するためのフローチャートであ
る。
【００４０】
デジタルカメラ１の電源がオンされると、先ず、ＣＰＵ１０はファームウェアＲＯＭ１
４から制御に必要なファームウェアを読み出した後（ステップＳ１）、音声によりレリー
ズを開始させるためのキーワード音声信号がキーワード登録メモリ１５に登録されている
かどうかを確認する（ステップＳ２）。
【００４１】
キーワード音声信号が登録されていない場合は、キーワード登録処理に入り、先ず、Ｃ
ＰＵ１０は背面マイク６からの音声入力待ち状態となる（ステップＳ３）。次に、ＣＰＵ
１０は、背面マイク６から入力された撮影者の音声、例えば、「はい、チーズ」、或いは
「スタート」というようなキーワード音声がＡ／Ｄコンバータ１３でデジタル変換された
背面音声信号が入力され始めると、入力された背面音声信号を一時記憶する（ステップＳ
４）。そして、ＣＰＵ１０は、背面マイク６からの音声が途切れたときをキーワード入力
が終了したときと判断し（ステップＳ５）、この一時記憶された背面音声信号をキーワー
ド音声信号としてキーワード登録メモリ１５に登録する（ステップＳ６）。
【００４２】
このようにして、キーワード登録が行われる。尚、このとき、操作キー８の設定／決定
キーが押下されている間に入力された音声がＡ／Ｄコンバータ１３でデジタル変換された
背面音声信号をキーワード音声信号として登録するというようにしても良い。また、背面
マイク６の代わりに前面マイク４からキーワードの音声入力を行うようにしても構わない
。
【００４３】
そして、キーワード音声信号がキーワード登録メモリ１５に登録された後、または、ス
テップＳ２において、既にキーワード登録メモリ１５にキーワード音声信号が登録されて
いると確認した場合は、撮影モードや撮影条件等の設定の変更要求があるかどうかを確認
し（ステップＳ７）、その要求があった場合は撮影モードや撮影条件等の設定変更処理を
行う（ステップＳ８）。この撮影モードや撮影条件等の設定は、撮影者が液晶表示器５の
設定用の表示を参照しつつ、操作キー８の各キーを操作することにより行われるので、Ｃ
ＰＵ１０は操作キー８のキー操作信号から設定変更要求があるかどうかを確認することが
できる。
【００４４】
この撮影モードには、静止画を撮影するスチルモード、動画を撮影する動画モード、撮
影者が被写体にデジタルカメラ１を向けた状態に保持して撮影する通常モード、撮影者自
身が被写体になるなどの理由により、所定時間後にレリーズが行われるセルフタイマーモ
ードがあり、常に、スチルモード、動画モードのいずれか一方、及び、通常モード、セル
フタイマーモードのいずれか一方が選択されるようになっている。
【００４５】
動画モードでレリーズが行われる場合は、レリーズ回路１７からの画像データが予め設
定された録画時間分、画像メモリ１６に保存される。そのとき、同時に、前面マイク３に
入力される音声等がＡ／Ｄコンバータ１２でデジタル変換された音声信号も画像メモリ１
６に保存される。尚、画像メモリ１６に保存される画像データ或いは音声信号には、ＣＰ
Ｕ１０により圧縮等の所定の信号処理が施される。
【００４６】
また、撮影条件には、ホワイトバランス、露出、絞り、ストロボ設定等、一般的なカメ
ラで設定できる各種条件があるが、この撮影条件に関しては本発明の特徴を成すものはな
いので、その説明は省略する。
【００４７】
そして次に、撮影モードがセルフタイマーモードであるか否かを確認し（ステップＳ９
）、セルフタイマーモードになっている場合は、先ず、レリーズボタン９が押下されたか
どうかを確認し（ステップＳ１０）、押下されていない場合は、前面マイク３にキーワー
ドの入力があったか否かが判断され（ステップＳ１３）、キーワード入力があった場合は
、セルフタイマーのカウントダウンに入り（ステップＳ１１）、カウントが０になったと
きにレリーズを行い（ステップＳ１２）、レリーズが行われた後はステップＳ７に戻る。
尚、このとき、キーワードの入力があったという判断は、ＣＰＵ１０がＡ／Ｄコンバータ
１２からの前面音声信号がキーワード登録メモリ１５に登録されているキーワード音声信
号と同一であると認識することにより行われる。
【００４８】
一方、キーワード入力がない場合は（ステップＳ１３）、そのままステップＳ７に戻る
。また、レリーズボタン９が押下された場合は（ステップＳ１０）、セルフタイマーのカ
ウントダウンに入り（ステップＳ１１）、カウントが０になったときにレリーズを行う（
ステップＳ１２）。
【００４９】
一方、セルフタイマーモードになっていない場合、即ち、通常モードの場合は（ステッ
プＳ９）、先ず、レリーズボタン９が押下されたかどうかを確認し（ステップＳ１４）、
押下されていない場合は、背面マイク６にキーワードの入力があったか否かが判断され（
ステップＳ１５）、キーワード入力があった場合は、レリーズを行い（ステップＳ１２）
、レリーズが行われた後はステップＳ７に戻る。一方、キーワード入力がない場合は（ス
テップＳ１５）、そのままステップＳ７に戻る。また、レリーズボタン９が押下された場
合も（ステップＳ１４）、レリーズを行い（ステップＳ１２）、レリーズが行われた後は
ステップＳ７に戻る。尚、このとき、キーワードの入力があったという判断は、ＣＰＵ１
０がＡ／Ｄコンバータ１３からの背面音声信号がキーワード登録メモリ１５に登録されて
いるキーワード音声信号と同一であると認識することにより行われる。
【００５０】
以上説明したように本実施形態によれば、音声によるレリーズを行うことができる。こ
れにより、撮影者は、セルフタイマーモードではない場合、被写体に向けてデジタルカメ
ラ１を構えている時に、レリーズボタン９を押す代わりに、「はい、チーズ」、或いは「
スタート」というようなキーワード登録メモリ１５に登録したキーワードを発声すること
により、デジタルカメラ１にレリーズを行わせることができる。即ち、レリーズボタン９
を押下することなく、デジタルカメラ１にレリーズを行わせることができるので、手ぶれ
の発生を軽減することができる。
【００５１】
また、このセルフタイマーモードではない場合、撮影者の発するキーワードが入力され
るマイクは、撮影者に対向しているデジタルカメラ１の背面に設けられている背面マイク
６であるので、被写体側に騒音源がある場合であっても、背面マイク６にはその騒音源か
らの騒音は入力されにくくなり、撮影者の発する音声は入力されやすくなる。従って、撮
影者の発する音声がその騒音源からの騒音にかき消されるというようなことがなくなり、
撮影者の発するキーワードを確実に判別することができるので、キーワードが発せられた
ときにレリーズを確実に行わせることができる。また、その騒音によって、誤ってレリー
ズが行われるという誤動作が発生することもなくなる。
【００５２】
また、セルフタイマーモードである場合、被写体となる撮影者は、レリーズボタン９を
押す代わりに、撮影者に対向しているデジタルカメラ１の前面に向かって、「はい、チー
ズ」、或いは「スタート」というようなキーワード登録メモリ１５に登録したキーワード
を発声することにより、デジタルカメラ１にセルフタイマーのカウントダウンを開始させ
、カウントが０になったときにレリーズを行わせることができる。即ち、レリーズボタン
９を押下することなく、且つ、遠隔制御器等を用いることなく、デジタルカメラ１にセル
フタイマーのカウントダウンを遠隔位置から開始させることができるので、デジタルカメ
ラ１のコストを上昇させることなく利便性を向上させることができる。
【００５３】
また、このセルフタイマーモードである場合、撮影者の発するキーワードが入力される
マイクは、被写体に対向しているデジタルカメラ１の前面に設けられている前面マイク３
であるので、被写体側に位置する撮影者の発する音声は入力されやすくなる。従って、撮
影者の発するキーワードを判別することが容易となり、キーワードが発せられたときにセ
ルフタイマーのカウントダウンを開始させることが容易にできる。
【００５４】
尚、本実施形態のデジタルカメラ１にはレリーズボタン９が設けられ、従来のカメラの
レリーズ操作と同様に扱えるようにもしているが、以上説明したように、デジタルカメラ
１は音声によるレリーズ機能を備えているので、レリーズボタン９は必ずしも必要ではな
く、オプションとすることもできる。レリーズボタン９を備えない構造にすると、その分
のコストを低減することができる。
【００５５】
また、音声によりレリーズさせる場合であっても複雑な操作を必要としないので、他人
に依頼して撮影してもらう場合において、その他人に、撮影するときにレリーズボタンを
押す代わりに「はい、チーズ」、或いは「スタート」というようなキーワードを言って下
さいと依頼するだけで、操作を知らない他人でも容易に手ぶれが軽減された撮影をするこ
とができる。
【００５６】
尚、本実施形態のカメラは、被写体像をデジタル化し、画像データとしてメモリに記録
するデジタル式のカメラであるが、銀塩カメラの場合であっても本発明は適応可能である
。その場合、本実施形態のデジタルカメラ１のＣＣＤ１１が機械的なシャッタ、レリーズ
回路１７がその機械的なシャッタを駆動するシャッタ駆動回路、画像メモリ１６が銀塩フ
ィルムに対応する。また、本発明は上述の実施形態に限定されるものではなく、本発明の
趣旨を逸脱しない範囲において各部の構成等を適宜に変更して実施することも可能である
。
【図面の簡単な説明】
【００５７】
【図１】本発明の一実施形態に係るデジタルカメラの外観を示す斜視図である。
【図２】図１に示すデジタルカメラの構成を示すブロック図である。
【図３】図１に示すデジタルカメラの動作の一部を示すフローチャートである。
【図４】図１に示すデジタルカメラの動作の他の一部を示すフローチャートである。
【図５】従来のカメラでの手ぶれの発生を説明する図である。
【符号の説明】
【００５８】
１    デジタルカメラ（カメラ）
２    レンズ鏡筒
２ａ    撮影レンズ
３    前面マイク（第１のマイク）
４    採光窓
５    液晶表示器
６    背面マイク（第２のマイク）
７    ファインダ
８    操作キー（撮影モード切換キー、撮影モード切換手段）
９    レリーズボタン
１０    ＣＰＵ（制御手段）
１１    ＣＣＤ（光電変換手段）
１２    Ａ／Ｄコンバータ（第１のＡ／Ｄコンバータ）
１３    Ａ／Ｄコンバータ（第２のＡ／Ｄコンバータ）
１４    ファームウェアＲＯＭ
１５    キーワード登録メモリ（キーワード登録手段）
１６    画像メモリ（記録手段）
１７    レリーズ回路（レリーズ手段）
【図１】
2005333582.tif 000003
【図２】
2005333582.tif 000004
【図３】
2005333582.tif 000005
【図４】
2005333582.tif 000006
【図５】
2005333582.tif 000007